(57)【要約】      （修正有）【課題】文房具を収納しうると共に、必要時にはバッグとして使用しうるペンケースを提供する。【解決手段】文房具収納部と、文房具収納部の外部に設けられ、文房具収納部に固定されると共に折り畳まれた袋部を収納可能なポケット部とを備えたポーチにより形成され、必要時にはポケット部から袋部を引きだして展開させ、袋部内に上記ポーチを収納することによりバッグとして使用しうる。【選択図】図２
0003166525.tif 000002
【実用新案登録請求の範囲】
【請求項１】
文房具収納部と、上記文房具収納部の外部に設けられ、上記文房具収納部に固定されると共に折り畳まれた袋部を収納可能なポケット部とを有するポーチ本体により形成され、必要時には上記ポケット部から上記袋部を引きだして展開させ、上記袋部内に上記ポーチ本体を収納することによりバッグとして使用しうることを特徴とするペンケース。
【請求項２】
全体薄型札入れ財布状に形成され、上記ポケット部は上記文房具収納部の厚さ方向外部に設けられ、上記ポケット部の開口部には、上記開口部を開閉可能に被覆するフラップが設けられていることを特徴とする請求項１記載のペンケース。
【請求項３】
上記袋部は開口部において上記ポケット部の開口部に縫合固定されていることを特徴とする請求項１記載のペンケース。
【請求項４】
上記フラップには第一のファスナー部材が固定されると共に、上記ポケット部の開口部近傍には、上記第一のファスナー部材に係合する第二のファスナー部材が固定されていることを特徴とする請求項２記載のペンケース。
【請求項５】
上記袋部の開口部には把持用紐部が固定され、上記袋部の内部には上記第一のファスナー部材に係合しうる第三のファスナー部材が固定されていることを特徴とする請求項１記載のペンケース。
【考案の詳細な説明】
【技術分野】
【０００１】
本考案は、文房具を収納しうると共に、必要時にはバッグとして使用しうるペンケースに関する。
【背景技術】
【０００２】
一般に、鉛筆、ボールペン、消しゴム等の各種の文房具を収納できるペンケースが広く使用されているが、近年、いわゆるエコバッグが多用されていることから、必要時にはエコバッグとしても使用できるペンケースがあれば便利である。しかしながら、従来このような要請に応えられる商品は存在しなかった。
【考案の開示】
【考案が解決しようとする課題】
【０００３】
本考案はこのような従来からの要請に応えるものであって、その課題は、文房具を収納しうると共に、必要時にはバッグとして使用しうるペンケースを提供する。
【課題を解決するための手段】
【０００４】
上記課題を解決するため、請求項１記載の考案にあっては、文房具収納部と、上記文房具収納部の外部に設けられ、上記文房具収納部に固定されると共に折り畳まれた袋部を収納可能なポケット部とを備えたポーチにより形成され、必要時には上記ポケット部から上記袋部を引きだして展開させ、上記袋部内に上記ポーチを収納することによりバッグとして使用しうることを特徴とする。
【０００５】
従って、請求項１記載の考案にあっては、上記文房具収納部には各種の文房具を収納し、必要時には上記ポケット部から上記折り畳まれた袋部を引きだし、展開することによりバッグとして使用する。
【０００６】
請求項２記載の考案にあっては、全体薄型札入れ財布状に形成され、上記ポケット部は上記文房具収納部の厚さ方向外部に設けられ、上記ポケット部の開口部には、上記開口部を開閉可能に被覆するフラップが設けられていることを特徴とする。
【０００７】
従って、請求項２記載の考案にあっては、上記袋部が上記ポケット部内に収納されている場合には、上記フラップ部は開口部を被覆している。
【０００８】
請求項３記載の考案にあっては、上記袋部は開口部において上記ポケット部の開口部に固定されていることを特徴とする。
従って、請求項３記載の考案にあっては、上記袋部を所定の形状に折り畳み、開口部において反転させることにより上記ポケット部内に収納させることができる。
【０００９】
請求項４記載の考案にあっては、上記フラップには第一のファスナー部材が固定されると共に、上記ポケット部の開口部近傍には、上記第一のファスナー部材に係合する第二のファスナー部材が固定されていることを特徴とする。
従って、請求項４記載の考案にあっては、上記第一のファスナー部材を第二のファスナー部材に係合させることにより、上記袋部がポケット内に収納されている場合には、上記フラップを閉状態で固定することができる。
【００１０】
請求項５記載の考案にあっては、上記袋部の開口部には把持用紐部が固定され、上記袋部の内部には上記第一のファスナー部材に係合しうる第三のファスナー部材が固定されていることを特徴とする。
従って、請求項５記載の考案にあっては、袋部を展開してバッグとして使用する場合には、上記第三のファスナー部材を上記第一のファスナー部材に係合させることにより、ポーチを袋部内に固定することができる。
【考案の効果】
【００１１】
請求項１記載の考案にあっては、上記文房具収納部には各種の文房具を収納し、必要時には上記ポケット部から上記折り畳まれた袋部を引きだし、展開することによりバッグとして使用することができるため、買い物等の必要時には、いわゆるエコバッグとして使用することができ、別個にエコバッグを準備する必要がないことから、非常に便利である。
【００１２】
請求項２記載の考案にあっては、上記袋部が上記ポケット部内に収納されている場合には、上記フラップ部は開口部を被覆していることから、内部に収納されている袋部が開放へ露出することがなく、外観品質に優れた、エコバッグとしても使用できるペンケースを提供することができる。
【００１３】
請求項３記載の考案にあっては、上記袋部を所定の形状に折り畳み、開口部において反転させることにより上記ポケット部内に収納させることができることから、ペンケースが内部に固定されていることが外方からは見えず、見栄えの良いエコバックとして使用することができる
【００１４】
請求項４記載の考案にあっては、上記第一のファスナー部材を第二のファスナー部材に係合させることにより、上記袋部がポケット内に収納されている場合には、上記フラップを閉状態で固定することができることから、袋部が外部には確実に露出せず、収納状態を維持できる外観品質に富むペンケースを提供することができる。
【００１５】
請求項５記載の考案にあっては、袋部を展開してバッグとして使用する場合には、上記第三のファスナー部材を上記第一のファスナー部材に係合させることにより、ポーチを袋部内に固定することができる。
請求項５記載の考案にあっては、バッグとして使用する場合には、上記ポーチは袋部内に固定されることから、文房具収納部内に文房具が収納されていた場合であっても、バッグ内部において他の収納物と干渉することがない。
【図面の簡単な説明】
【００１６】
【図１】本考案に係るペンケースの一実施の形態を示す斜視図である。
【図２】本考案に係るペンケースの一実施の形態であって、エコバッグとして利用するために袋部を取り出した状態を示す第一図の2−2線相当断面図である。
【図３】本考案に係るペンケースの一実施の形態であって、取り出した袋部内にペンケースを形成するポーチを袋部内に反転させて収納した状態を示す斜視図である。
【図４】本考案に係るペンケースの一実施の形態であって、取り出した袋部内にペンケースを形成するポーチを袋部内に反転させて収納した状態を拡大して示す斜視図である。
【図５】本考案に係るペンケースの一実施の形態であって、取り出した袋部内にペンケースを形成するポーチを袋部内に固定した状態を示す斜視図である。
【考案を実施するための最良の形態】
【００１７】
以下、添付図面に示す実施の形態に基づき、本考案を詳細に説明する。
図１及び図２に示すように、本実施の形態に係るペンケース１０は、文房具収納部１１と、上記文房具収納部１１の外部に設けられ、上記文房具収納部１１に固定されると共に折り畳まれた袋部１２を収納可能なポケット部１３とを有するポーチ１４により形成され、必要時には上記ポケット部１３から上記袋部１２を引きだして展開させ、上記袋部１２内に上記ポーチ１４を収納することによりバッグとして使用しうるように構成されている。
【００１８】
本実施の形態にあっては、図１に示すように、ペンケース１０は全体薄型札入れ財布状に形成され、上記ポケット部１３は上記文房具収納部１１の厚さ方向外部に設けられ、上記ポケット部１３の開口部１５には、上記開口部１５を開閉可能に被覆するフラップ１６が設けられている。
【００１９】
また、文房具収納部１１の開口部２２にはジッパー２３が取り付けられ開閉可能に被覆している。上記袋部１２は開口部１７において上記ポケット部１３の開口部１５に縫合固定されている。
【００２０】
上記フラップ１６には第一のファスナー部材であるメススナップ１８、１８が固定されると共に、上記ポケット部１３の開口部１５近傍には、上記第一のファスナー部材であるメススナップ１８、１８に係合する第二のファスナー部材であるオススナップ１９、１９が固定されている。
【００２１】
図３に示すように、上記袋部１２の開口部１７には一対の把持用紐部２０、２０が固定され、上記袋部１２の内部には、一方の把持用紐部２０の基部には上記第一のファスナー部材であるオススナップ１８、１８に係合しうる第三のファスナー部材であるメススナップ２１、２１が固定されている。
【００２２】
以下、本実施の形態に係るペンケース１０の作用について説明する。
図１に示すように、本実施の形態に係るペンケース１０に文房具を収納する場合には、上記文房具収納部１１内に収納して使用する。この場合、袋部１２は折り畳まれて上記ポケット部１３内に収納され、上記フラップ１６は、メススナップ１８、１８とオススナップ１９、１９が係合することにより開口部１５を被覆している。
【００２３】
バッグとして使用する場合には、図２に示すように、上記メススナップ１８、１８とオススナップ１９、１９の係合を解除することによりフラップ１６を開放して、内部に収納された袋部１２を展開する。
【００２４】
その後、図３及び図４に示すように、袋部１２の開口部を介して、ポーチ１４を反転させて袋部１２内に収納させ、オススナップ２１、２１を上記メススナップ１８、１８に係合させることにより袋部１２内にポーチ１４を固定する。この状態で、図５に示すように、袋部１２内に様々な物品を収納してエコバッグとして使用することができる。
従って、本実施の形態に係るペンケース１０は、各種文房具を収納することもできれば、必要に応じてエコバッグとしても使用することができ、非常に便利である。
【符号の説明】
【００２５】
１０  ペンケース
１１  文房具収納部
１２  袋部
１３  ポケット部
１４  ポーチ
１５  開口部
１６  フラップ
１７  開口部
１８  第一のファスナー部材（メススナップ）
１９  第二のファスナー部材（オススナップ）
２０  把持用紐部
２１  第三のファスナー部材（オススナップ）
２２  開口部
２３  ジッパー
【図１】
0003166525.tif 000003
【図２】
0003166525.tif 000004
【図３】
0003166525.tif 000005
【図４】
0003166525.tif 000006
【図５】
0003166525.tif 000007